(57)【要約】【課題】楽音信号を増幅して外部スピーカーへ出力するサラウンドアンプを搭載した電子鍵盤楽器において、消費電力を低減する。【解決手段】電子ピアノ１０には、演奏モード、及びリバーブモジュール１８により生成される残響音信号の特性を示すリバーブ特性を設定する演奏モードセレクタ２４、外部スピーカー群２８に楽音信号を出力するサラウンドアンプ群２６、サラウンドアンプ群２６の制御を行うアンプセレクタ３６が搭載される。アンプセレクタ３６は、演奏モードセレクタ２４により設定された演奏モードあるいはリバーブ特性に基づいて、サラウンドアンプ群２６の中から楽音信号が入力されない未使用サラウンドアンプを特定し、特定した未使用サラウンドアンプを低消費電力モードに設定する。【選択図】図１
2017181686.tif 000002
【特許請求の範囲】
【請求項１】
入力された楽音信号を増幅して内蔵スピーカーへ出力するメインアンプと、
入力された楽音信号を増幅して、スピーカー出力端子に接続された外部スピーカーへ出力するサラウンドアンプと、
楽音信号が前記サラウンドアンプに入力されずに前記メインアンプに入力される通常モードを設定可能な演奏モード設定部と、
前記演奏モード設定部により前記通常モードが設定された場合に、前記サラウンドアンプを低消費電力モードに設定するアンプ制御部と、
を備えることを特徴とする電子楽器。
【請求項２】
前記サラウンドアンプは、複数の外部スピーカーに対応して複数設けられ、
前記演奏モード設定部は、前記複数のサラウンドアンプのうち楽音信号が入力されるサラウンドアンプがそれぞれ異なる複数のサラウンドモードを設定可能であり、
前記アンプ制御部は、前記演奏モード設定部により設定されたサラウンドモードに基づいて、前記複数のサラウンドアンプの中から楽音信号が入力されない未使用サラウンドアンプを特定し、特定された未使用サラウンドアンプを低消費電力モードに設定する、
ことを特徴とする、請求項１に記載の電子楽器。
【請求項３】
設定された残響特性に基づいて、入力された原音信号に対する残響音信号を生成するリバーブモジュールをさらに備え、
前記演奏モード設定部は、前記残響特性に応じて、前記複数のサラウンドアンプのうち前記残響音信号が入力されるサラウンドアンプが切り替えられるリバーブサラウンドモードを設定可能であり、
前記アンプ制御部は、前記演奏モード設定部により前記リバーブサラウンドモードが設定された場合に、前記残響特性に基づいて、前記複数のサラウンドアンプの中から前記残響音信号が入力されない未使用サラウンドアンプを特定し、特定された未使用サラウンドアンプを低消費電力モードに設定する、
ことを特徴とする、請求項２に記載の電子楽器。
【請求項４】
前記複数のサラウンドアンプに前記外部スピーカーが接続されているか否かを判定する外部スピーカー接続判定部をさらに備え、
前記アンプ制御部は、前記複数のサラウンドアンプのうち前記未使用サラウンドアンプ以外の使用サラウンドアンプに外部スピーカーが接続されていない場合に、当該使用サラウンドアンプを低消費電力モードに設定する、
ことを特徴とする、請求項２又は３に記載の電子楽器。
【請求項５】
電子楽器に搭載される電子楽器用アンプ制御回路であって、
入力された楽音信号を増幅して内蔵スピーカーへ出力するメインアンプと、
入力された楽音信号を増幅して、スピーカー出力端子に接続された外部スピーカーへ出力するサラウンドアンプと、
前記電子楽器の演奏モードとして、楽音信号が前記サラウンドアンプに入力されずに前記メインアンプに入力される通常モードを設定可能な演奏モード設定部と、
前記演奏モード設定部により前記通常モードが設定された場合に、前記サラウンドアンプを低消費電力モードに設定するアンプ制御部と、
を備えることを特徴とする電子楽器用アンプ制御回路。
【請求項６】
請求項５に記載の前記電子楽器用アンプ制御回路を備える、電子楽器。
【発明の詳細な説明】
【技術分野】
【０００１】
本発明は、電子楽器および電子楽器用アンプ制御回路に関する。
【背景技術】
【０００２】
従来、例えば電子ピアノなどの電子楽器が知られている。電子楽器には内蔵スピーカーが設けられる場合があり、この場合は当該内蔵スピーカーから楽音が出力される。また、電子楽器には、アンプ（増幅回路）により増幅されていないラインレベルの楽音信号が出力されるラインアウト端子が設けられる場合がある。ラインアウト端子によれば、ラインレベルの楽音信号を外部アンプで増幅した上で外部スピーカーから楽音を出力することができる。
【０００３】
電子楽器も電子機器の１つであることから、消費電力を低減することが求められている。従来、電子楽器の消費電力を低減させるための技術が提案されている。
【０００４】
例えば、特許文献１には、電子鍵盤楽器に接続された外部スーパーウーファの消費電力を低減することで、電子鍵盤楽器を含む演奏環境全体としての消費電力を低減させる技術が開示されている。具体的には、音量が小さい場合には外部スーパーウーファの聴感上の効果が乏しいことに鑑み、マスターボリュームが所定値以下である場合に外部スーパーウーファの機能を停止させることで、外部スーパーウーファの消費電力を低減している。
【０００５】
また、特許文献２には、Ｌｃｈ用とＲｃｈ用の２つの内蔵スピーカーと、それぞれに対して増幅した楽音信号を供給する２つの内蔵アンプを備えた電子鍵盤楽器において、当該電子鍵盤楽器を駆動する電池の残電力量が所定値以下となった場合に、２つの内蔵アンプの一方の機能を停止することで、電子鍵盤楽器の消費電力を低減させている。
【先行技術文献】
【特許文献】
【０００６】
【特許文献１】特開２００７−８１８１２号公報
【特許文献２】特許第３５８７４８５号
【発明の概要】
【発明が解決しようとする課題】
【０００７】
コンパクトな構成によって、電子楽器から出力される楽音の空間的な拡がり感（例えばホール感）を得るために、外部スピーカーを直接（外部アンプを介さずに）接続可能な電子楽器が望まれている。外部スピーカーを直接電子楽器に接続するためには、増幅された楽音信号を外部スピーカーへ出力するサラウンドアンプを電子楽器に搭載する必要がある。
【０００８】
しかしながら、アンプは消費電力が大きいのが一般的であり、電子楽器にサラウンドアンプを搭載させると、その分電子楽器の消費電力が増加してしまう。特に、楽音の拡がり感をより大きく得るために、多数の外部スピーカーを接続可能とすると、多数のサラウンドアンプが電子楽器に搭載されることになり、電子楽器の消費電力が非常に大きくなってしまう。
【０００９】
本発明の目的は、楽音信号を増幅して外部スピーカーへ出力するサラウンドアンプを搭載した電子楽器において、消費電力を低減することにある。
【課題を解決するための手段】
【００１０】
本発明に係る電子楽器は、入力された楽音信号を増幅して内蔵スピーカーへ出力するメインアンプと、入力された楽音信号を増幅して、スピーカー出力端子に接続された外部スピーカーへ出力するサラウンドアンプと、楽音信号が前記サラウンドアンプに入力されずに前記メインアンプに入力される通常モードを設定可能な演奏モード設定部と、前記演奏モード設定部により前記通常モードが設定された場合に、前記サラウンドアンプを低消費電力モードに設定するアンプ制御部と、を備えることを特徴とする。
【００１１】
望ましくは、前記サラウンドアンプは、複数の外部スピーカーに対応して複数設けられ、前記演奏モード設定部は、前記複数のサラウンドアンプのうち楽音信号が入力されるサラウンドアンプがそれぞれ異なる複数のサラウンドモードを設定可能であり、前記アンプ制御部は、前記演奏モード設定部により設定されたサラウンドモードに基づいて、前記複数のサラウンドアンプの中から楽音信号が入力されない未使用サラウンドアンプを特定し、特定された未使用サラウンドアンプを低消費電力モードに設定する、ことを特徴とする。
【００１２】
望ましくは、設定された残響特性に基づいて、入力された原音信号に対する残響音信号を生成するリバーブモジュールをさらに備え、前記演奏モード設定部は、前記残響特性に応じて、前記複数のサラウンドアンプのうち前記残響音信号が入力されるサラウンドアンプが切り替えられるリバーブサラウンドモードを設定可能であり、前記アンプ制御部は、前記演奏モード設定部により前記リバーブサラウンドモードが設定された場合に、前記残響特性に基づいて、前記複数のサラウンドアンプの中から前記残響音信号が入力されない未使用サラウンドアンプを特定し、特定された未使用サラウンドアンプを低消費電力モードに設定する、ことを特徴とする。
【００１３】
望ましくは、前記複数のサラウンドアンプに前記外部スピーカーが接続されているか否かを判定する外部スピーカー接続判定部をさらに備え、前記アンプ制御部は、前記複数のサラウンドアンプのうち前記未使用サラウンドアンプ以外の使用サラウンドアンプに外部スピーカーが接続されていない場合に、当該使用サラウンドアンプを低消費電力モードに設定する、ことを特徴とする。
【００１４】
また、本発明は、電子楽器に搭載される電子楽器用アンプ制御回路であって、入力された楽音信号を増幅して内蔵スピーカーへ出力するメインアンプと、入力された楽音信号を増幅して、スピーカー出力端子に接続された外部スピーカーへ出力するサラウンドアンプと、前記電子楽器の演奏モードとして、楽音信号が前記サラウンドアンプに入力されずに前記メインアンプに入力される通常モードを設定可能な演奏モード設定部と、前記演奏モード設定部により前記通常モードが設定された場合に、前記サラウンドアンプを低消費電力モードに設定するアンプ制御部と、を備えることを特徴とする。
【００１５】
また、本発明は、上記記載の電子楽器用アンプ制御回路を備える、電子楽器である。
【発明の効果】
【００１６】
本発明によれば、楽音信号を増幅して外部スピーカーへ出力するサラウンドアンプを搭載した電子楽器において、消費電力を低減することができる。
【図面の簡単な説明】
【００１７】
【図１】本実施形態に係る電子鍵盤楽器、及び電子鍵盤楽器に接続された外部スピーカーの構成概略図である。
【図２】本実施形態に係る電子鍵盤楽器における第１処理フローを示すフローチャートである。
【図３】本実施形態に係る電子鍵盤楽器における第２処理フローを示すフローチャートである。
【発明を実施するための形態】
【００１８】
以下、本発明の実施形態について説明する。本実施形態では、電子楽器として電子鍵盤楽器が用いられた例について説明する。
【００１９】
図１には、本実施形態に係る電子鍵盤楽器としての電子ピアノ１０、及び電子ピアノ１０に接続される外部スピーカーの構成概略図が示されている。なお、本明細書においては、電子鍵盤楽器が電子ピアノ１０である例について説明するが、電子鍵盤楽器としては、電子オルガンあるいは電子キーボードなどであってもよい。なお、図１には図示されていないが、電子ピアノ１０には、電子ピアノ１０の各部を動作させるためのプログラムが記憶された記憶部を有している。
【００２０】
ＣＰＵ１１は、例えばマイクロコントローラなどから構成され、記憶部に記憶されたプログラムに従って電子ピアノ１０の各部を制御するものである。
【００２１】
音源メモリ１２は、例えばＲＯＭ（Read Only Memory）などから構成され、電子ピアノ１０から出力される楽音信号群が記憶されている。本実施形態では、音源メモリ１２には、楽音信号群として、アコースティックピアノの音をサンプリングして得られたサンプリング音データ群が記憶される。当該サンプリング音データ群には、音程毎及び複数のベロシティ（打鍵の強さ）毎にサンプリングされたサンプリング音データが含まれている。
【００２２】
鍵盤１３は、電子ピアノ１０の演奏のための操作部であり、複数個（例えば合計８８個）の黒鍵及び白鍵から構成される。各鍵には、打鍵されたこと及び当該打鍵の強さを検知する鍵盤センサが設けられている。鍵盤センサは、打鍵された鍵及び打鍵の強さを示す信号を鍵盤制御回路１４に送る。
【００２３】
鍵盤制御回路１４は、鍵盤１３に設けられた鍵盤センサからの情報を押鍵／離鍵信号に変換し、ＣＰＵ１１へ伝えるものである。
【００２４】
音源回路１５は、鍵盤制御回路１４からの信号を受けたＣＰＵ１１からの制御に基づいて、打鍵された鍵及び当該打鍵の強さに対応する楽音信号を音源メモリ１２から読み出して後述のＤＳＰ１６に出力する。なお、音源回路１５において、音源メモリ１２から読み出した楽音信号に対してエンベロープデータを付加するなどの処理が行われてもよい。
【００２５】
ＤＳＰ（Digital Signal Processor）１６は、音源回路１５から出力された楽音信号に対して各種の加工処理を行うものである。例えば、音源回路１５からの楽音信号（原音信号）に残響音信号を付加するリバーブ処理や、原音信号に山びこのような反響音信号を加えるディレイ処理、原音信号にゆらぎを与えるトレモロ処理などを行うことができる。図１には、ＤＳＰ１６が行う処理の一つであるリバーブ処理を行うリバーブモジュール１８が示されている。
【００２６】
リバーブモジュール１８は、例えばＤＳＰ１６上で動作するソフトウェアモジュールであってもよく、あるいは電子回路（リバーブ回路）であってもよい。リバーブモジュール１８は、演奏者により設定された残響特性としてのリバーブ特性に基づいて、原音信号に対する残響音信号を生成するものである。リバーブ特性には、リバーブの種類及びリバーブパラメータが含まれる。
【００２７】
本実施形態におけるリバーブモジュール１８で生成される残響音信号は、広い空間でアコースティックピアノを弾いたときに得られる残響音をシミュレートして生成されるものである。リバーブの種類を変更することで、様々な空間における残響音をシミュレートした残響音信号を得ることができる。リバーブの種類としては、例えば、室内での演奏時における残響音をシミュレートしたルームタイプ、大ホールでの演奏時における残響音をシミュレートしたコンサートホールタイプ、大聖堂での演奏時における残響音をシミュレートしたカテドラルタイプなどがある。
【００２８】
また、リバーブパラメータとしては、原音に対する残響音の大きさを決定するデプスパラメータ、及び残響音の長さを決定するタイムパラメータなどがある。
【００２９】
リバーブ特性は、後述の演奏モードセレクタ２４により設定される。具体的には、演奏者が不図示の操作パネルを用いてリバーブ特性設定のための指示を入力し、それを受けたＣＰＵ１１が後述の演奏モードセレクタ２４に対して制御信号を送信し、当該制御信号を受けた演奏モードセレクタ２４がリバーブモジュール１８のリバーブ特性を設定する。
【００３０】
リバーブモジュール１８で処理される前の原音信号と、リバーブモジュール１８で処理された残響音信号とが、加算器２０で合成される。ここで、上記のデプスパラメータが大きい程、合成音信号における残響音信号の割合が大きくなる。ＤＳＰ１６において処理され出力された楽音信号（合成音信号）はメインアンプＭＡに入力される。
【００３１】
メインアンプＭＡは増幅回路であり、入力された楽音信号を増幅するものである。メインアンプＭＡにより増幅された楽音信号は内蔵スピーカー２２へ出力される。楽音信号を受けた内蔵スピーカー２２は楽音を出力する。なお、図１には、メインアンプＭＡと内蔵スピーカー２２のセットが１セットのみ示されているが、当該セットは複数設けられてよい。例えば、内蔵スピーカー２２として、楽音を上方向に放射する２つのトップスピーカー、及び高周波数帯域の楽音を好適に出力する複数のトゥイータスピーカーなどを含んでいてよい。本実施形態では、メインアンプＭＡはアナログアンプであり、メインアンプＭＡの前段にはＤＡＣ（Digital Analog Converter）（不図示）が設けられている。また、メインアンプＭＡはデジタルアンプであってもよい。
【００３２】
演奏モード設定部としての演奏モードセレクタ２４は、操作パネルから入力された演奏者の指示を読み取ったＣＰＵ１１からの制御信号に従って、電子ピアノ１０の演奏モードを設定する。演奏モードとしては、例えば、通常モード、複数のサラウンドモード、及びリバーブサラウンドモードを含む。
【００３３】
通常モードは、ＤＳＰ１６からの楽音信号を後述のサラウンドアンプ群２６に入力させず、メインアンプＭＡに入力して内蔵スピーカー２２から楽音を出力させるモードである。
【００３４】
複数のサラウンドモードは、楽音信号をメインアンプＭＡと共にサラウンドアンプ群２６にも入力して、内蔵スピーカー２２、及び後述の外部スピーカー群２８から楽音を出力させるモードである。各サラウンドモードは、それぞれ異なる楽音の空間的な拡がり感が得られるようになっており、各サラウンドモードにおいて楽音が出力される外部スピーカーが異なるようになっている。なお、サラウンドモードには、内蔵スピーカー２２及び外部スピーカー群２８の全てから楽音が出力されるオールチャンネルサラウンドモードが含まれていてもよい。
【００３５】
リバーブサラウンドモードは、原音信号とリバーブモジュール１８からの残響音信号の合成音信号が内蔵スピーカー２２から出力され、リバーブモジュール１８からの残響音信号のみがサラウンドアンプ群２６に入力されて外部スピーカー群２８から出力されるモードである。
【００３６】
サラウンドアンプ群２６は、入力された楽音信号を増幅して、電子ピアノ１０に接続される外部スピーカー群２８へ出力するものである。電子ピアノ１０がサラウンドアンプ群２６を有していることで、外部スピーカー群２８を電子ピアノ１０に直接（外部アンプを介さずに）接続することを可能にしている。本実施形態では、電子ピアノ１０は４つのサラウンドアンプＳＡａ〜ｄを有しているが、サラウンドアンプの数はその他の数であってもよい。１つのサラウンドアンプに対して１つの外部スピーカーが接続可能であるから、サラウンドアンプの数が多い程、より多くの外部スピーカーを接続することができる。一方、サラウンドアンプは消費電力が比較的大きく、サラウンドアンプの数が多い程、電子ピアノ１０の消費電力が大きくなってしまう。本実施形態では、各サラウンドアンプＳＡａ〜ｄはアナログアンプであり、各サラウンドアンプＳＡａ〜ｄの前段にはＤＡＣ（不図示）が設けられている。また、各サラウンドアンプＳＡａ〜ｄはデジタルアンプであってもよい。
【００３７】
各サラウンドアンプＳＡａ〜ｄの出力は、スピーカー出力端子３０ａ〜ｄへ出力される。スピーカー出力端子３０ａ〜ｄに各外部スピーカー２８ａ〜ｄのケーブル端子３２ａ〜ｄが接続されることで、各サラウンドアンプＳＡａ〜ｄに各外部スピーカー２８ａ〜ｄが接続される。
【００３８】
サラウンドＤＳＰ３４は、演奏モードセレクタ２４が設定した演奏モードに応じて、ＤＳＰ１６から出力される楽音信号をサラウンドアンプ群２６に出力する処理を行う。例えば、演奏モードが通常モードである場合、サラウンドＤＳＰ３４は、ＤＳＰ１６からの楽音信号をサラウンドアンプ群２６に出力させない。尤も、この場合はＤＳＰ１６からサラウンドＤＳＰ３４への楽音信号の出力を停止してもよい。この場合、全てのサラウンドアンプＳＡａ〜ｄが未使用となる。
【００３９】
また、演奏モードがサラウンドモードの場合、サラウンドＤＳＰ３４は、各サラウンドモードに対応する一部のサラウンドアンプのみにＤＳＰ１６からの楽音信号を出力する。例えば、第１サラウンドモードである場合は、サラウンドアンプＳＡａ及びＳＡｂのみに楽音信号を出力する。この場合、サラウンドアンプＳＡｃ及びＳＡｄは未使用となる。また、第２サラウンドモードである場合は、サラウンドアンプＳＡｃ及びＳＡｄのみに楽音信号を出力する。この場合、サラウンドアンプＳＡａ及びＳＡｂは未使用となる。なお、オールチャンネルサラウンドモードの場合は、サラウンドＤＳＰ３４は、全てのサラウンドアンプＳＡａ〜ｄに楽音信号を出力する。
【００４０】
また、演奏モードがリバーブサラウンドモードの場合、サラウンドＤＳＰ３４は、リバーブ特性に応じてＤＳＰ１６からの楽音信号を出力するサラウンドアンプを切り替える。本実施形態では、リバーブの種類がルームタイプの場合は、残響音は比較的少なくてよいため、サラウンドＤＳＰ３４は、ＤＳＰ１６（リバーブモジュール１８）からの残響音信号を一部のサラウンドアンプ（本実施形態ではサラウンドアンプＳＡａ及びＳＡｂ）のみに出力する。この場合、サラウンドアンプＳＡｃ及びＳＡｄは未使用となる。
【００４１】
また、本実施形態では、リバーブの種類としてカテドラルタイプが選択された場合、サラウンドアンプＳＡａ及びＳＡｂに加え、上方に広い空間を感じさせるために、上方に向けて配置された外部スピーカー２８ｃ及び２８ｄに対応するサラウンドアンプＳＡｃ及びＳＡｄにも残響音信号が出力される。カテドラルタイプが選択された場合であっても、デプスパラメータが所定値よりも小さい値に（つまり残響効果を小さくするように）設定された場合には、上方空間を感じさせる必要がなくなることから、サラウンドアンプＳＡｃ及びＳＡｄへの残響音信号の出力を停止するようにしてもよい。この場合、カテドラルタイプであってもサラウンドアンプＳＡｃ及びＳＡｄは未使用となる。
【００４２】
上述のように、演奏モードに応じて、あるいはリバーブ特性（リバーブの種類あるいはリバーブパラメータ）に応じて、サラウンドアンプ群２６のうち使用されるサラウンドアンプがそれぞれ異なる。換言すれば、演奏モードやリバーブ特性によって、サラウンドアンプ群２６の中に未使用のサラウンドアンプが存在するということである。
【００４３】
アンプ制御部としてのアンプセレクタ３６は、サラウンドアンプ群２６の制御を行うものである。詳しくは、演奏モードセレクタ２４が設定した演奏モード、あるいはリバーブ特性に応じて、サラウンドアンプ群２６の全部又は一部を低消費電力モードに設定する。具体的には、設定された演奏モードあるいはリバーブ特性に基づいて、サラウンドアンプ群２６の中から未使用のサラウンドアンプを特定し、特定された未使用のサラウンドアンプを低消費電力モードに設定する。未使用のサラウンドアンプの特定にあたっては、未使用のサラウンドアンプを示す情報をサラウンドＤＳＰ３４からもらうようにしてもよい。
【００４４】
例えば、演奏モードセレクタ２４により演奏モードが通常モードに設定された場合、アンプセレクタ３６は未使用サラウンドアンプとしてサラウンドアンプ群２６に含まれる全てのサラウンドアンプＳＡａ〜ｄを特定する。そして、サラウンドアンプＳＡａ〜ｄを低消費電力モードに設定する。
【００４５】
演奏モードセレクタ２４により演奏モードが第１サラウンドモードに設定された場合、アンプセレクタ３６は、未使用サラウンドアンプとしてサラウンドアンプＳＡｃ及びＳＡｄを特定し、サラウンドアンプＳＡｃ及びＳＡｄを低消費電力モードに設定する。また、演奏モードが第２サラウンドモードに設定された場合、アンプセレクタ３６は、未使用サラウンドアンプとしてサラウンドアンプＳＡａ及びＳＡｂを特定し、サラウンドアンプＳＡａ及びＳＡｂを低消費電力モードに設定する。
【００４６】
演奏モードセレクタ２４により演奏モードがリバーブサラウンドモードに設定された場合、アンプセレクタ３６は、設定されたリバーブ特性に基づいて未使用サラウンドアンプを特定する。例えば、リバーブの種類としてルームタイプが設定された場合は、未使用サラウンドアンプとしてサラウンドアンプＳＡｃ及びＳＡｄを特定し、サラウンドアンプＳＡｃ及びＳＡｄを低消費電力モードに設定する。また、リバーブの種類がカテドラルタイプであった場合は、デプスパラメータが所定値未満である場合に、未使用サラウンドアンプとしてサラウンドアンプＳＡｃ及びＳＡｄを特定し、サラウンドアンプＳＡｃ及びＳＡｄを低消費電力モードに設定する。
【００４７】
なお、全てのサラウンドアンプＳＡａ〜ｄが使用される場合（例えば演奏モードがオールチャンネルサラウンドモードである場合、あるいは、リバーブサラウンドモードであって、リバーブの種類がカテドラルタイプ、且つ、デプスパラメータが所定値以上である場合など）は、アンプセレクタ３６は、サラウンドアンプＳＡａ〜ｄを低消費電力モードとする処理を行わない。
【００４８】
未使用サラウンドアンプを低消費電力モードに設定する具体的方法としては、例えば、スイッチあるいはリレーによって未使用サラウンドアンプに供給される電源を遮断する方法であってよい。また、サラウンドアンプ自体の動作モードとして低消費電力モードを有していればそれを利用してもよい。さらに、サラウンドアンプがデジタルアンプである場合、未使用サラウンドアンプに対してミュート制御を行うことで未使用サラウンドアンプの消費電力を低減できる。デジタルアンプにおいては、入力信号が無い場合であっても、パルス波が絶えず出力されている。したがって、デジタルアンプに対してミュート制御を行い当該パルス波の出力を止めることで消費電力が低減できる。ミュート制御によれば、電源を遮断する方法に比して、低消費電力モードから通常モードへの復帰までに要する時間を低減できるというメリットもある。
【００４９】
望ましくは、外部スピーカー接続判定部としてのスピーカー接続検出部３８が設けられる。スピーカー接続検出部３８は、各スピーカー出力端子３０ａ〜ｄに外部スピーカー２８ａ〜ｄのケーブル端子３２ａ〜ｄが接続されているか否かを検出する。つまり、スピーカー接続検出部３８は、各サラウンドアンプＳＡａ〜ｄに外部スピーカー２８ａ〜ｄが接続されているか否かを判定する。
【００５０】
アンプセレクタ３６は、演奏モードセレクタ２４が設定した演奏モード及びリバーブ特性に加え、スピーカー接続検出部３８の検出結果に応じてサラウンドアンプを低消費電力モードに設定してもよい。演奏モード及びリバーブ特性により特定された未使用サラウンドアンプ以外のサラウンドアンプ（使用サラウンドアンプ）に外部スピーカーが接続されていない場合、当該使用サラウンドアンプからの楽音信号は外部スピーカーから出力されることがない。つまり、当該使用サラウンドアンプから楽音信号を出力する必要がない。したがって、アンプセレクタ３６は、使用サラウンドアンプであっても、外部スピーカーが接続されていないサラウンドアンプを低消費電力モードに設定するようにしてもよい。
【００５１】
本実施形態に係る電子ピアノ１０の構成概略は以上の通りである。なお、図１に示す各構成要素のうち、演奏モードセレクタ２４、アンプセレクタ３６、及びスピーカー接続検出部３８の各機能は、例えばプロセッサなどのハードウェアを利用して実現することができる。また、プロセッサなどのハードウェアと、当該プロセッサを動作させるソフトウェアの協働により実現されてもよい。
【００５２】
以下、図２に示すフローチャートに従って、電子ピアノ１０における第１処理フローの流れを説明する。
【００５３】
ステップＳ１０において、演奏モードセレクタ２４は、演奏者からの指示を読み取ったＣＰＵ１１からの制御信号に従って演奏モードを設定する。演奏モードがリバーブサラウンドモードである場合は、さらに、演奏モードセレクタ２４は、演奏者からの指示を読み取ったＣＰＵ１１からの制御信号に従ってリバーブ特性を設定する。
【００５４】
ステップＳ１２において、アンプセレクタ３６は、ステップＳ１０で設定された演奏モードがリバーブサラウンドモードであるか否かを判定する。
【００５５】
演奏モードがリバーブサラウンドモード以外である場合、ステップＳ１４に進む。ステップＳ１４において、アンプセレクタ３６は、設定された演奏モードに基づいて、未使用サラウンドアンプを特定する。
【００５６】
リバーブサラウンドモードが設定された場合、ステップＳ１６に進む。ステップＳ１６において、アンプセレクタ３６は、ステップＳ１０で設定されたリバーブ特性に基づいて未使用サラウンドアンプを特定する。
【００５７】
ステップＳ１８において、アンプセレクタ３６は、ステップＳ１４又はステップＳ１６において特定された未使用サラウンドアンプを低消費電力モードに設定する。
【００５８】
以下、図３に示すフローチャートに従って、電子ピアノ１０における第２処理フローの流れを説明する。第２処理フローは、演奏モードあるいはリバーブ特性に加え、スピーカー接続検出部３８の検出結果に基づいて低消費電力モードに設定するサラウンドアンプを特定する処理フローである。
【００５９】
図３のフローチャートにおいて、ステップＳ３０より前のステップにおける処理内容は第１処理フローの処理内容と同様であるため、図２と同様のステップ番号を付しその説明を省略する。
【００６０】
ステップＳ３０において、アンプセレクタ３６は、スピーカー接続検出部３８の検出結果に基づいて、ステップＳ１４又はステップＳ１６で特定された未使用サラウンドアンプ以外のサラウンドアンプである使用サラウンドアンプのうち、外部スピーカーが接続されていないサラウンドアンプがあるか否かを判定する。
【００６１】
使用サラウンドアンプのうち外部スピーカーが接続されていないサラウンドアンプがある場合、ステップＳ３２に進む。ステップＳ３２において、アンプセレクタ３６は、ステップＳ１４又はステップＳ１６で特定された未使用サラウンドアンプ、及び、外部スピーカーが接続されていない使用サラウンドアンプを低消費電力モードに設定する。
【００６２】
使用サラウンドアンプのうち外部スピーカーが接続されていないサラウンドアンプがない場合、ステップＳ３４に進む。ステップＳ３４において、アンプセレクタ３６は、ステップＳ１４又はステップＳ１６において特定された未使用サラウンドアンプを低消費電力モードに設定する。
【００６３】
以上説明した本実施形態によれば、外部スピーカー群２８を直接接続するためにサラウンドアンプ群２６が搭載された電子ピアノ１０の消費電力を低減することができる。例えば、電子ピアノ１０においては、外部スピーカー群２８を直接接続できるという特徴を有しながら、外部スピーカー群２８を使用しない通常モードで動作する場合は、サラウンドアンプ群２６を有さない従来の電子ピアノと同等の消費電力が実現される。
【００６４】
また、本実施形態によれば、演奏モード、リバーブ特性、あるいは外部スピーカーの接続状態など、変動し得る電子ピアノ１０の状態に応じて、出力される楽音に影響を与えない限りにおいて適応的に電子ピアノ１０の消費電力を低減することができる。
【００６５】
以上、本発明に係る実施形態を説明したが、本発明は上記実施形態に限られるものではなく、本発明の趣旨を逸脱しない限りにおいて種々の変更が可能である。
【符号の説明】
【００６６】
１０  電子ピアノ、１１  ＣＰＵ、１２  音源メモリ、１３  鍵盤、１４  鍵盤制御回路、１５  音源回路、１６  ＤＳＰ、１８  リバーブモジュール、２０  加算器、２２  内蔵スピーカー、２４  演奏モードセレクタ、２６  サラウンドアンプ群、２８  外部スピーカー群、２８ａ〜ｄ  外部スピーカー、３０ａ〜ｄ  スピーカー出力端子、３２ａ〜ｄ  ケーブル端子、３４  サラウンドＤＳＰ、３６  アンプセレクタ、３８  スピーカー接続検出部、ＭＡ  メインアンプ、ＳＡａ〜ｄ  サラウンドアンプ。
【図１】
2017181686.tif 000003
【図２】
2017181686.tif 000004
【図３】
2017181686.tif 000005